(57)【要約】【課題】この発明は、電磁波の放出を抑制できる電子機器および撮影装置を提供することを課題とする。【解決手段】ビデオカメラは、配線基板４２に対して開閉されるパネル収容部２を有する。配線基板４２には、電磁波を発生するＩＣチップ４１が実装されている。パネル収容部２を開いた状態では、ＩＣチップ４１から発生するグランドノイズＮｇがパネル収容部２に伝わることのないように、グランドパターン４３とパネル収容部２の間の電気的な接続を切断する。【選択図】      図７
2009111629.tif 000002
【特許請求の範囲】
【請求項１】
電子部品を搭載した配線基板と、
この配線基板に設けられた接地部材と、
上記配線基板上の上記電子部品を覆う第１位置と当該電子部品から離間した第２位置との間を移動可能に設けられた導電性を有する可動部材と、
この可動部材が上記第１位置に配置されたとき、当該可動部材と上記接地部材を電気的に接続するとともに、当該可動部材が上記第２位置に配置されたとき、当該可動部材と上記接地部材の電気的な接続を切断するスイッチと、
を有することを特徴とする電子機器。
【請求項２】
電子部品を搭載した配線基板と、
この配線基板に設けられた接地部材と、
被写体を撮影する撮像部と、
この撮像部で撮影した画像を記憶する記憶部と、
上記配線基板上の上記電子部品を覆う第１位置と当該電子部品から離間した第２位置との間を移動可能に設けられ、上記撮像部で撮影した画像および上記記憶部に記憶した画像を表示する表示パネルを収容したパネル収容部と、
このパネル収容部が上記第１位置に配置されたとき、当該パネル収容部を上記接地部材に電気的に接続するとともに、当該パネル収容部が上記第２位置に配置されたとき、当該パネル収容部の接地配線と上記接地部材との間の電気的な接続を切断するスイッチと、
を有することを特徴とする撮影装置。
【発明の詳細な説明】
【技術分野】
【０００１】
この発明は、電磁波を放射する電子部品を有する電子機器に係り、特に、静止画や動画を撮影するビデオカメラなどの撮影装置に関する。
【背景技術】
【０００２】
近年、静止画や動画を撮影するビデオカメラは、撮影した画像を大画面で見ることのできる液晶モニタなどの表示パネルを備えたものが一般的である（例えば、特許文献１、２参照。）。表示パネルは、通常、カメラ本体に対して開閉可能に取り付けられており、所望する角度に調節可能となっている。
【０００３】
一方、この種のビデオカメラなどの電子機器においては、多機能化や高画質化などが進んでおり、ＣＰＵの演算速度も高速化されつつある。このため、各種ドライバなど電子部品から発生する電磁波をシールドするＥＭＩ（Electro Magnetic Interference）対策が重要とされている。
【０００４】
特に、表示パネルを開閉可能に取り付けたビデオカメラでは、表示パネルの開閉状態に応じて電磁波の放射状況が変化することが知られている。この変化は、例えば機種によって異なるため、電磁波の発生源である電子部品を搭載した配線基板のグランドパターンと表示パネルを０［Ω］抵抗などで接続し、電磁波の放射状況を評価して、状況に応じてキャパシタやインダクタに置き換えていた。
【特許文献１】特開平１０−６５９４６号公報
【特許文献２】特開２００１−２４８６２９
【発明の開示】
【発明が解決しようとする課題】
【０００５】
しかし、表示パネルを開いたとき、上述したように抵抗、キャパシタ、インダクタなどの接続部材を介して表示パネルをグランドパターンにアースしていると、表示パネルがアンテナとして機能して、表示パネルを介して電磁波が二次的に発生される可能性がある。
【０００６】
この発明の目的は、電磁波の放出を抑制できる電子機器および撮影装置を提供することにある。
【課題を解決するための手段】
【０００７】
上記目的を達成するため、本発明の電子機器は、電子部品を搭載した配線基板と、この配線基板に設けられた接地部材と、上記配線基板上の上記電子部品を覆う第１位置と当該電子部品から離間した第２位置との間を移動可能に設けられた導電性を有する可動部材と、この可動部材が上記第１位置に配置されたとき、当該可動部材と上記接地部材を電気的に接続するとともに、当該可動部材が上記第２位置に配置されたとき、当該可動部材と上記接地部材の電気的な接続を切断するスイッチと、を有する。
【０００８】
上記発明によると、可動部材を第１位置に配置した状態でスイッチを接続して可動部材を接地部材に電気的に接続するようにしたため、電子部品から発生する電磁波によって励起されて可動部材を流れる誘導電流を接地部材に逃がすことができ、電磁波が電子機器の外部に放出される不具合を抑制できる。また、この発明によると、可動部材を第２位置に配置した状態でスイッチを切断するようにしたため、電子部品から発生する電磁波によって励起される誘導電流が接地部材を介して可動部材に流れることを防止でき、可動部材がアンテナとして機能して二次的な電磁波を発生させる不具合を防止できる。
【０００９】
また、本発明の撮影装置は、電子部品を搭載した配線基板と、この配線基板に設けられた接地部材と、被写体を撮影する撮像部と、この撮像部で撮影した画像を記憶する記憶部と、上記配線基板上の上記電子部品を覆う第１位置と当該電子部品から離間した第２位置との間を移動可能に設けられ、上記撮像部で撮影した画像および上記記憶部に記憶した画像を表示する表示パネルを収容したパネル収容部と、このパネル収容部が上記第１位置に配置されたとき、当該パネル収容部を上記接地部材に電気的に接続するとともに、当該パネル収容部が上記第２位置に配置されたとき、当該パネル収容部の接地配線と上記接地部材との間の電気的な接続を切断するスイッチと、を有する。
【００１０】
上記発明によると、パネル収容部を第１位置に配置した状態でスイッチを接続してパネル収容部を接地部材に電気的に接続するようにしたため、電子部品から発生する電磁波によって励起されてパネル収容部を伝って流れる誘導電流を接地部材に逃がすことができ、電磁波が撮影装置の外部に放出される不具合を抑制できる。また、この発明によると、パネル収容部を第２位置に配置した状態でスイッチを切断するようにしたため、電子部品から発生する電磁波によって励起される誘導電流が接地部材を介してパネル収容部に流れることを防止でき、パネル収容部がアンテナとして機能して二次的な電磁波を発生させる不具合を防止できる。
【発明の効果】
【００１１】
この発明の電子機器および撮影装置は、上記のような構成および作用を有しているので、電磁波の放出を抑制できる。
【発明を実施するための最良の形態】
【００１２】
以下、図面を参照しながらこの発明の実施の形態について詳細に説明する。  
図１および図２には、それぞれ、この発明が適用される電子機器の一例として、ビデオカメラ１（撮影装置）の外観斜視図を示してある。図１は、ビデオカメラ１を倒して斜め前方から見た斜視図であり、図２は、ビデオカメラ１のパネル収容部２を開いた状態の斜視図である。可動部を有する電子機器として、この他に、携帯電話やノート型パーソナルコンピュータなどがある。
【００１３】
図１に示すように、ビデオカメラ１の前面には、静止画や動画を撮影する撮像部４の撮像レンズ３、静止画を撮像する際の照明光源としてのフラッシュ５、静止画を撮像するためのシャッターボタン６、およびリモコン受信部７が設けられている。また、ビデオカメラの撮像方向に向かう右側面には、図示しないバッテリーパックを覆うカバー８が設けられている。
【００１４】
図２に示すように、ビデオカメラ１の左側面には、本発明の可動部材として機能するパネル収容部２が本体１０に対して開閉可能に取り付けられている。パネル収容部２には、液晶モニタ１１（表示パネル）およびスピーカ１２が収容されている。このパネル収容部２は、通常、ビデオカメラ１の本体１０の凹部９に収まるもので、液晶モニタ１１を介して画像を表示する際には、図に示すように開かれる。なお、パネル収容部２を開いたときの角度は任意に調節可能である。
【００１５】
ビデオカメラ１の背面には、動画を撮影する際に操作される動画録画ボタン１３、撮影領域を変倍するためのズームバー１４、十字キー操作部１５、各種メニュー画面を表示させるためのメニューボタン１６、撮影／再生モードを切り換えるためのモードレバー１７、および着脱可能な半導体メモリカードを収容するスロットのカバー１８が設けられている。また、本体１０の凹部９には、電源オンオフ用のパワーボタン１９が設けられている。
【００１６】
十字キー操作部１５は、十字キー１５ａの周りに円環状の台座１５ｂを有し、台座１５ｂに記された４つの矢印の方向に十字キー１５ａを傾けたり、単に十字キー１５ａを押下げたりすることで操作される。例えば、メニューボタン１６によって液晶モニタ１１を介して表示したメニュー画面の項目を選択する際に、この十字キー操作部１５が用いられる。
【００１７】
図３には、上述したビデオカメラ１の構成ブロック図を示してある。  
撮像レンズ３から取り込まれた被写体像は、撮像素子２１（例えばＣＣＤ撮像素子）の結像面に結像する。被写体像は、ここで電気信号に変換されアナログデジタル（Ａ／Ｄ）変換部２２によりデジタル信号に変換され、信号処理部２３に入力する。信号処理部２３では、ガンマ補正、色信号分離、ホワイトバランス調整等が行われる。なお、撮像レンズ３、撮像素子２１、Ａ／Ｄ変換部２２、信号処理部２３などは撮像部４に含まれる。
【００１８】
通常の撮影状態でシャッタ操作がなされていないときは、信号処理部２３からの映像データは、メモリコントローラ２４を介して画像表示処理部２５に入力される。画像表示処理部２５では、撮影した画像を液晶モニタ１１に表示するための変換処理及びメニュー等の合成処理を行う。画像表示処理部２５からの画像データは、液晶モニタ１１に供給される。これにより、撮像中の画像、あるいはスタンバイ状態で狙っている被写体画像が液晶モニタ１１に表示される。
【００１９】
シャッタ操作がなされると、撮像した画像データは、画像圧縮・伸張処理部２６において、画像圧縮（例えばＪＰＥＧ方式による圧縮）され、ＣＰＵ（中央演算装置）３０の制御の元で、記録メディアインターフェース（Ｉ／Ｆ）３１を介してハードディスク３２Ａ、或いは半導体メモリ（例えばＳＤカードと称されるメモリ）３２Ｂに格納される。ハードディスク３２Ａ、および半導体メモリ３２Ｂは、この発明の記憶部として機能する。記録メディアとしては、ここに示したものに限定されず光ディスクであってもよい。
【００２０】
記録メディアに保存されている画像データが読み出された場合は、該画像データはＣＰＵ３０の制御の元で、画像圧縮・伸張処理部２６において伸張処理され、メモリコントローラ２４を介して画像表示処理部２５に入力される。これにより再生画像が液晶モニタ１１に表示される。
【００２１】
ワークメモリ２７は、例えば、画像データを編集したり、サムネイル画像を作成したり、画像の順番の入れ替えをするときに利用される。さらには、各種のアイコンを編集する場合にも利用される。このワークメモリ２７は、１画面分の画像データ或は複数画面分の画像データを保存することができる。このワークメモリ２７に保存されている画像データは、メモリコントローラ２４を介して画像表示処理部２５に入力されるので、液晶モニタ１１で画像編集の様子を確認することができる。
【００２２】
編集時あるいは撮影時には、ＣＰＵ３０により制御され、マイク３３、音声Ｉ／Ｆ３４を介して音声データも取り込むことができる。音声データは、撮影した画像データとペアとなり記録メディアに記録される。記録された音声データを再生するときは、撮像した画像データと同時に記録メディアから読み出し、画像再生を行いながら音声Ｉ／Ｆ３４を介してスピーカ３５から音声出力することができる。但し、画像を再生し、確認を行うときに音声は消音することも可能である。
【００２３】
ＣＰＵ３０に対しては、操作部３６及びリモコン受信部７を介して、外部からの操作信号が与えられる。ここで言う操作部３６は、図１および図２で説明した各種の操作ボタンなどを総称している。ＣＰＵ３０は、撮影時において、ズーム／ＡＥ／ＡＦ／フラッシュ制御部３７を介して、操作信号に応じてズーム調整、自動アイリス調整（ＡＥ）、自動フォーカス調整（ＡＦ）、フラッシュ制御等を行うことができる。
【００２４】
また、ＣＰＵ３０は、外部接続インターフェース（図示せず）にも接続されており、カメラをＴＶなどの外部表示装置に接続することも可能である。さらに、ＣＰＵ３０には、パネル収容部２の開閉状態を検知する開閉スイッチ３８、およびパネル収容部２の回転角度を検知する角度センサ３９が接続されている。
【００２５】
ところで、上述した本実施の形態のビデオカメラ１などの電子機器の分野においては、多機能化、高性能化が進んでおり、回路構成が複雑化するとともに、信号処理速度が高速化しつつある。このような状況下で、電子機器の外部に漏洩する電磁波による機器間の干渉、或いは人体に対する影響が問題となっており、漏洩する電磁波をシールドすることが重要とされている。
【００２６】
特に、本実施の形態のビデオカメラ１のように、可動部（パネル収容部２）を有する電子機器においては、パネル収容部２を開いた状態でパネル収容部２がアンテナとして機能し、二次的な電磁波を発生してしまう可能性がある。つまり、パネル収容部２を本体１０の配線基板側に接地すると、配線基板に実装されたＩＣチップから発生する電磁波による誘導電流がアースを介してパネル収容部２を伝って流れ、このパネル収容部２をアンテナとして二次的な電磁波が発生してしまう。
【００２７】
このため、本実施の形態では、パネル収容部２の開閉状態に応じてアースを選択的に切断することで、ビデオカメラ１の外部に漏洩する電磁波を抑制するようにした。パネル収容部２の開閉状態は、上述した開閉スイッチ３８で検出する。以下、図４乃至図７を参照して、そのメカニズムについて説明する。
【００２８】
なお、図４乃至図７では、電磁波を発生するＩＣチップ４１を実装した配線基板４２と、この配線基板４２を収容した本体１０（ここでは図示省略）に対して開閉されるパネル収容部２と、パネル収容部２を配線基板４２側のグランドパターン４３（接地部材）に選択的に導通するためのスイッチ４４と、の関係を模式的に示してある。
【００２９】
パネル収容部２は、ヒンジ部２ａを介して本体１０側のフレーム１０ａに接続されており、このヒンジ部２ａを中心に回動可能であるものとする。また、フレーム１０ａは、配線基板４２の接続パターン４５（接地配線）に電気的に導通されているものとする。さらに、スイッチ４４は、接続パターン４５とグランドパターン４３を接続した導体を図示した状態をＯＮ状態とし、導体を不図示の状態をＯＦＦ状態とする。
【００３０】
ＩＣチップ４１としては、グランド側に放射される電磁波によるグランドノイズが多いタイプのＩＯやバッファなどのチップや、基板から離れる方向に放射される電磁波による放射ノイズが多いタイプのＣＰＵなど信号を高速処理するチップなどがあるが、ここでは、放射ノイズがグランドノイズより大きいタイプのチップをＩＣチップ４１のモデルとした。
【００３１】
図４に示すように、パネル収容部２を本体１０の凹部９内に収納した閉位置（第１位置）に配置した状態で、ビデオカメラ１を動作させて、ＩＣチップ４１から電磁波が発生すると、グランドノイズＮｇはグランドパターン４３を介して拡散されて減衰され、放射ノイズＮｅは、ＩＣチップ４１を覆うパネル収容部２の金属部分を励起する。このとき、スイッチ４４をＯＮにして、パネル収容部２をグランドパターン４３に導通することで、放射ノイズＮｅによって励起されてパネル収容部２で発生する誘導電流Ｉが導体４４を介してグランドパターン４３に流れ、放射ノイズＮｅが拡散されて減衰される。
【００３２】
これに対し、図５に示すように、パネル収容部２を閉位置に閉じた状態でスイッチ４４をＯＦＦにすると、放射ノイズＮｅによってパネル収容部２の金属部分が励起されて、パネル収容部２をアンテナとして二次的な電磁波が放射ノイズＮｓとして発生されてしまう。つまり、パネル収容部２を閉位置に配置した場合には、スイッチ４４をＯＮにしてパネル収容部２をグランドパターン４３に電気的に接続することで、ビデオカメラ１の外部に漏洩する電磁波を抑制できる。
【００３３】
しかし、図６に示すように、パネル収容部２を開位置（第２位置）に配置すると、パネル収容部２がＩＣチップ４１から離間され、ビデオカメラ１の外部に漏洩する電磁波の状態が変化する。つまり、パネル収容部２を開位置に開いた状態でスイッチ４４をＯＮにしてパネル収容部２とグランドパターン４３を電気的に接続すると、グランドノイズＮｇに起因した誘導電流が導体４４を介してパネル収容部２を伝って流れてしまい、パネル収容部２の金属部分が励起されて二次的な電磁波が放射ノイズＮｓとして発生してしまう。
【００３４】
このため、本実施の形態では、パネル収容部２を開位置に開いた状態でビデオカメラ１を動作させる場合（通常、液晶モニタ１１を見ながら動画を撮影する）、図７に示すように、スイッチ４４をＯＦＦにして、パネル収容部２とグランドパターン４３の電気的な接続を切断するようにした。これにより、グランドノイズＮｇがパネル収容部２に伝達されることを防止でき、図６で説明したようにスイッチ４４をＯＮにした場合と比較して、ビデオカメラ１の外部に漏洩する電磁波を少なくできる。
【００３５】
以上のように、本実施の形態によると、ビデオカメラ１のパネル収容部２の開閉状態に応じてパネル収容部２のアースを選択的に切断するようにしたため、パネル収容部２を接地したままの状態と比べて、ビデオカメラ１の外部に漏洩する電磁波を抑制できる。特に、この発明は、配線基板を収容配置した本体に対して可動部が開閉するタイプの電子機器に有効である。
【００３６】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【００３７】
例えば、上述した実施の形態では、パネル収容部２（可動部材）の開閉状態に応じてスイッチ４４をＯＮ／ＯＦＦ制御してビデオカメラ１の外部に漏洩される電磁波を抑制する場合について説明したが、これに限らず、ビデオカメラ１の動作状況に応じて変化するグランドノイズＮｇと放射ノイズＮｅの大小関係に基づいてスイッチ４４を切り換えるようにしても良い。
【００３８】
つまり、配線基板４２に実装された多数の電子部品の総合的な電磁波が、グランドノイズＮｇの方が放射ノイズＮｅより大きい状況下では、グランドノイズＮｇがパネル収容部２に伝達されることの無いようにスイッチ４４をＯＦＦにする。また、多数の電子部品から発生される総合的な電磁波において放射ノイズＮｅの方がグランドノイズＮｇより大きい状況下では、スイッチ４４をＯＮにして放射ノイズＮｅを基板側のグランドパターン４３に逃がすようにすれば良い。
【図面の簡単な説明】
【００３９】
【図１】この発明の実施の形態に係るビデオカメラの外観斜視図。
【図２】図１のビデオカメラのパネル収容部を開いた状態を示す外観斜視図。
【図３】図１のビデオカメラの構成ブロック図。
【図４】パネル収容部を閉じてスイッチをＯＮにした場合の電磁波について説明するための模式図。
【図５】パネル収容部を閉じてスイッチをＯＦＦにした場合の電磁波について説明するための模式図。
【図６】パネル収容部を開いてスイッチをＯＮにした場合の電磁波について説明するための模式図。
【図７】パネル収容部を開いてスイッチをＯＦＦにした場合の電磁波について説明するための模式図。
【符号の説明】
【００４０】
１…ビデオカメラ、２…パネル収容部、４…撮像部、９…凹部、１０…本体、４１…ＩＣチップ、４２…配線基板、４３…グランドパターン、４４…スイッチ、Ｎｇ…グランドノイズ、Ｎｅ…放射ノイズ、Ｎｓ…二次的な放射ノイズ。
【図１】
2009111629.tif 000003
【図２】
2009111629.tif 000004
【図３】
2009111629.tif 000005
【図４】
2009111629.tif 000006
【図５】
2009111629.tif 000007
【図６】
2009111629.tif 000008
【図７】
2009111629.tif 000009